(57)【要約】【課題】シャックルを分解交換可能なパッドロックを提供する。【解決手段】本発明のシャックルを分解交換可能なパッドロックは、前ロックカバーと、該前ロックカバーに枢着し、回転軸に相対して接合する後ロックカバーを有し、該前ロックカバーと後ロックカバーの被さり合う時に収容室を形成し、該後ロックカバーは、滑動溝を有し、該後ロックカバーの滑動溝に対応する一側辺の外壁に貫通孔とロック孔を設け、該滑動溝の収容室に隣接する溝壁に貫通溝を設けるロックシェルと、鎖合部と、貫通孔に貫通設置され、収容室方向へ変位する枢着部と、を有するシャックルと、該滑動溝に滑動設置され、該シャックルの鎖合部に限位又は離脱する鎖合部材と、限位部材と開放部材を含み、該限位部材は、欠き溝と、嵌合端と、斜面と、斜面と、を有し、限位部材は、滑動溝に滑動設置され、開放部材は、貫通溝に滑動設置される。【選択図】図２
2017061789.tif 000002
【特許請求の範囲】
【請求項１】
前ロックカバーと、該前ロックカバーに枢着し、回転軸に相対して接合する後ロックカバーを有し、該前ロックカバーと後ロックカバーの被さり合う時に収容室を形成し、該後ロックカバーは、前ロックカバー一側辺に対応する滑動溝を有し、該後ロックカバーの滑動溝に対応する一側辺の外壁に滑動溝に連通する貫通孔とロック孔を設け、該滑動溝の収容室に隣接する溝壁に貫通溝を設け、且つ貫通溝は滑動溝に連通するロックシェルと、
両端に位置する枢着部及び鎖合部を有し、該枢着部は、貫通孔に貫通設置され、収容室方向へ変位し、該鎖合部は、枢着部の変位によって該ロック殻から離れるか鎖合するシャックルと、
嵌合部と鎖合端を有し、該滑動溝に滑動設置され、該鎖合端は、該シャックルの鎖合部に限位又は離脱する鎖合部材と、
限位部材と開放部材を含み、該限位部材は、欠き溝と、嵌合端と、斜面と、を有し、該斜面は、欠き溝一側の溝壁に隣接し、該限位部材は、該滑動溝に滑動設置され、該嵌合端は、該シャックルの枢着部に限位又は離脱し、該開放部材は、斜面に対応する押圧斜面を有し、該開放部材は、貫通溝に滑動設置され、限位部材の欠き溝に伸入する限位組と、
を含み、そのうち、該押圧斜面は、斜面に押圧し、限位部材を推移させ、枢着部に対して離脱又は限位させる、シャックルを分解交換可能なパッドロック。
【請求項２】
鎖合部材と限位部材の間に位置するバネを更に設け、該バネ両端が鎖合部材と限位部材に弾性的に係合する請求項１に記載のシャックルを分解交換可能なパッドロック。
【請求項３】
前記ロックシェルが、滑動溝に被さり合う蓋板を更に含み、該蓋板は、限位溝を有し、該鎖合部材は、滑動溝溝口に対応する一側に頸部とダイヤル部を有し、該頸部は、該限位溝に嵌合し、該ダイヤル部は、該蓋板外側に露出する請求項１に記載のシャックルを分解交換可能なパッドロック。
【請求項４】
前記ロックシェルは、更に滑動溝に被さり合う蓋板を含み、該蓋板は、限位溝を有し、該鎖合部材の滑動溝溝口に対応する一側に頸部とダイヤル部を有し、該頸部は、該限位溝中に嵌合し、該ダイヤル部は、蓋板外側に露出する請求項２に記載のシャックルを分解交換可能なパッドロック。
【請求項５】
前記後ロックカバーが少なくとも１つのロックアームを有し、該前ロックカバーがロック組に設けられ、且つ該収容室中に位置し、該ロック組がロックアームに対応する少なくとも１つのロックブロックを有し、該ロック組は、ロックブロックとロックアームの嵌合及びロック解除を制御する請求項１に記載のシャックルを分解交換可能なパッドロック。
【請求項６】
前記シャックルの枢着部は、限位環溝を有し、且つ該限位部材の嵌合端は、限位環溝に嵌合し、該鎖合部は、鎖合環溝を有し、且つ鎖合部材の鎖合端は、鎖合環溝に嵌合する請求項１乃至請求項５の何れか１項に記載のシャックルを分解交換可能なパッドロック。
【発明の詳細な説明】
【技術分野】
【０００１】
本発明は、パッドロックの技術分野に関し、特に、シャックルを分解交換可能なラッチフックの新たな発明に関する。
【背景技術】
【０００２】
ロック器具の種類は、多く、異なる構造及びタイプがあり、各種機能を使用者に選択させ、何れもロック器具を介してシャックルを限位又は開放し、ターゲット上で使用をロックするパッドロック構造を提供し、ロックするターゲットの形状の大きさの違いに応じてシャックルを異なる大きさ寸法のパッドロックとして設け、例えば、中華民国第Ｍ４０１０４５号の「圧電起動式電子センサパッドロック」実用新案、及び第Ｍ４９４８２０号の「感応式パッドロック」実用新案等がある。
【０００３】
更に、比較的大きな寸法の使用ターゲットの異なる形状の変化に応じるため、業者は、鋼索を使用して形成される可撓性を有するシャックルを更に開発しており、例えば、中華民国公告第４０２４８２８号の「構造改良されたパッドロック（二）」実用新案、及び第５０７８０８号の「構造改良されたパッドロック（十一）」実用新案等がある。鋼索で形成することでシャックルに可撓性をもたせ、使用構造の違いに応じて変形し、異なる形状の使用ターゲットに柔軟に適用することができる。
【０００４】
しかしながら、現在の一般のパッドロックのシャックルとロック体の間は、何れも単一寸法の規格のシャックルを使用し、且つ分解交換できない限位結合として設けられ、使用において、異なる寸法のシャックルに交換する操作によって単一ロック器具で異なる大きさの使用ターゲットに柔軟に適用することができず、適用性の制限を受け、これは、現在一般のパッドロックの使用上の欠点の一つとなっている。
【０００５】
更に、単一寸法規格のシャックルを用いる一般のパッドロックは、異なる寸法のシャックルに交換する操作によって異なる大きさの使用ターゲットに柔軟に適用させることができず、消費者が異なる大きさのターゲットにより複数の異なる規格のシャックルのパッドロックを購入しなければならず、浪費を増加させて経済効果に適合しないだけでなく、更に、それにより市場の使用受け入れ度を低下させ、これは、もう１つの欠点となっている。
【先行技術文献】
【特許文献】
【０００６】
【特許文献１】特開２０１３−１１６７３１号公報
【発明の概要】
【発明が解決しようとする課題】
【０００７】
従って、一般の固定寸法のシャックルのパッドロックが適用性の制限を受け、消費者が多くの異なる規格のシャックルのパッドロックを購入して浪費を増加させ、経済効果に適合せず、市場の使用受け入れ度を低下させる欠点に対して、如何に新たな発明を行うかは、本願が解決を行う難点の所在となっている。
【０００８】
本発明の目的は、組み立てたシャックルに対して解放操作を行い、異なる形状、大きなシャックルに交換することができ、異なる大きさの使用ターゲットに柔軟に適用でき、広範に適用できる進歩性を有する、シャックルを分解交換可能なパッドロックを提供することにある。
【０００９】
本発明のもう１つの目的は、消費者に対して異なる大きさの使用ターゲットに対して複数の異なる規格のシャックルのパッドロックを購入する必要がなく、消費者の浪費を回避して市場の使用受け入れ度を向上する、シャックルを分解交換可能なパッドロックを提供することにある。
【課題を解決するための手段】
【００１０】
上記の目的及び効果を達成する為、本発明のシャックルを分解交換可能なパッドロックは、
前ロックカバーと、該前ロックカバーに枢着し、回転軸に相対して接合する後ロックカバーを有し、該前ロックカバーと後ロックカバーの被さり合う時に収容室を形成し、該後ロックカバーは、前ロックカバー一側辺に対応する滑動溝を有し、該後ロックカバーの滑動溝に対応する一側辺の外壁に滑動溝に連通する貫通孔とロック孔を設け、該滑動溝の収容室に隣接する溝壁に貫通溝を設け、且つ貫通溝は滑動溝に連通するロックシェルと、
両端に位置する枢着部及び鎖合部を有し、該枢着部は、貫通孔に貫通設置され、収容室方向へ変位し、該鎖合部は、枢着部の変位によって該ロック殻から離れるか鎖合するシャックルと、
嵌合部と鎖合端を有し、該滑動溝に滑動設置され、該鎖合端は、該シャックルの鎖合部に限位又は離脱する鎖合部材と、
限位部材と開放部材を含み、該限位部材は、欠き溝と、嵌合端と、斜面と、を有し、該斜面は、欠き溝一側の溝壁に隣接し、該限位部材は、該滑動溝に滑動設置され、該嵌合端は、該シャックルの枢着部に限位又は離脱し、該開放部材は、斜面に対応する押圧斜面を有し、該開放部材は、貫通溝に滑動設置され、限位部材の欠き溝に伸入する限位組と、
を含み、そのうち、該押圧斜面は、斜面に押圧し、限位部材を推移させ、枢着部に対して離脱又は限位させる。
【００１１】
本発明の更なる技術特徴は、鎖合部材と限位部材の間に位置するバネを更に設け、該バネ両端が鎖合部材と限位部材に弾性的に係合することにある。
【００１２】
本発明の更なる技術特徴は、該ロックシェルが、滑動溝に被さり合う蓋板を更に含み、該蓋板は、限位溝を有し、該鎖合部材は、滑動溝溝口に対応する一側に頸部とダイヤル部を有し、該頸部は、該限位溝に嵌合し、該ダイヤル部は、該蓋板外側に露出することにある。
【００１３】
本発明の更なる技術特徴は、該後ロックカバーが少なくとも１つのロックアームを有し、該前ロックカバーがロック組に設けられ、且つ該収容室中に位置し、該ロック組がロックアームに対応する少なくとも１つのロックブロックを有し、該ロック組は、ロックブロックとロックアームの嵌合及びロック解除を制御することにある。
【００１４】
本発明の更なる技術特徴は、該シャックルの枢着部は、限位環溝を有し、且つ該限位部材の嵌合端は、限位環溝に嵌合し、該鎖合部は、鎖合環溝を有し、且つ鎖合部材の鎖合端は、鎖合環溝に嵌合することにある。
【００１５】
本発明の更なる技術特徴は、該シャックルは、可撓性を有する鋼索であることができるにある。
【発明の効果】
【００１６】
本発明のシャックルを分解交換可能なパッドロックは、組み立てたシャックルに対して解放操作を行い、異なる形状、大きなシャックルに交換することができ、異なる大きさの使用ターゲットに柔軟に適用でき、広範に適用できる。
【図面の簡単な説明】
【００１７】
【図１】本発明の立体組み合わせ説明図である。
【図２】本発明の前ロックカバーの立体構造説明図である。
【図３】本発明の後ロックカバーの立体分解説明図である。
【図４】本発明のシャックルをロックした断面説明図である。
【図５】本発明のシャックルのロック解除の操作説明図である。
【図６】本発明のシャックルのロック解除の断面説明図である。
【図７】本発明のシャックルを限位した断面説明図である。
【図８】本発明のシャックルを開放した断面説明図である。
【図９】本発明の異なるシャックルを交換取り付けした断面説明図である。
【発明を実施するための形態】
【００１８】
本発明が上記の目的及び効果を達成する為に採用する技術手段及び構造について分かり易くするため、図面を合わせて、以下に本発明の実施例を挙げ、その特徴及び効果を詳細に説明する。
【００１９】
図１〜図４に示すように、本発明のシャックルを分解交換可能なパッドロックは、
前ロックカバー１１と、該前ロックカバー１１に枢着し、回転軸に相対して接合する後ロックカバー１２を有し、該前ロックカバー１１と後ロックカバー１２の被さり合う時に収容室１３を形成し、該後ロックカバー１２は、前ロックカバー１１一側辺に対応する滑動溝１２２を有し、該後ロックカバー１２の滑動溝に対応する一側辺の外壁に滑動溝１２２に連通する貫通孔１２３とロック孔１２４を設け、該滑動溝１２２の収容室１３に隣接する溝壁に貫通溝１２５を設け、且つ貫通溝１２５は滑動溝１２２に連通するロックシェル１と、
両端に位置する枢着部３１及び鎖合部３２を有し、該枢着部３１は、貫通孔１２３に貫通設置され、収容室１３方向へ変位し、該鎖合部３２は、枢着部３１の変位によって該ロック殻１から離れるか鎖合するシャックル３と、
嵌合部３１と鎖合端４２を有し、該滑動溝１２２に滑動設置され、該鎖合端４２は、該シャックル３の鎖合部３２に限位又は離脱する鎖合部材４と、
限位部材５１と開放部材５２を含み、該限位部材５１は、欠き溝５１１と、嵌合端５１２と、斜面５１３と、を有し、該斜面５１３は、欠き溝５１１一側の溝壁に隣接し、該限位部材５１は、該滑動溝１２２に滑動設置され、該嵌合端５１２は、該シャックル３の枢着部３１に限位又は離脱し、該開放部材５２は、斜面５１３に対応する押圧斜面５２１を有し、該開放部材５２は、貫通溝１２５に滑動設置され、限位部材５１の欠き溝５１１に伸入する限位組５と、
を含み、そのうち、該押圧斜面５２１は、斜面５１３に押圧し、限位部材５１を推移させ、枢着部３１に対して離脱又は限位させる（前記は、本発明の実施例の主要技術特徴であり、それは、本願の特許請求の範囲第１項の内容に対応し、本発明の目的及び実施形態を詳細に理解することができ、その残りの従属特許請求の範囲に記載する技術特徴は、特許請求の範囲第１項の内容に対する詳細又は付加技術特徴であり、特許請求の範囲第１項の限定範囲を制限するものではなく、本発明の特許請求の範囲第１項は、必ずしもその従属特許請求の範囲に記載する技術特徴を含むものではない）。
【００２０】
図１〜図４において、本発明は、更に、鎖合部材４と限位部材５１の間の滑動溝１２２内に位置するバネ７を設け、該バネ７両端は、鎖合部材４と限位部材５１に弾性的に係合する。そのうち、該ロックシェル１は、更に、蓋板８を含み、滑動溝１２２に被さり合い、該蓋板８は、限位溝８１を有し、該鎖合部材４は、滑動溝１２２溝口に対応する一側に頸部４３及びダイヤル部４４を有し、該頸部４３は、該限位溝８１中に嵌合し、該ダイヤル部４４は、蓋板８外側に露出する。そのうち、該後ロックカバー１２は、少なくとも１つのロックアーム１２１を有し、該前ロックカバー１１は、ロック組２を設け、且つ該収容室１３中に位置し、該ロック組２は、ロックアーム１２１に対応する少なくとも１つのロックブロック２２を有し、該ロック組２は、ロックブロック２２とロックアーム１２１の嵌合とロック解除を制御する。そのうち、該シャックル３の枢着部３１は、限位環溝３１１を有し、且つ該限位部材５１の嵌合端５１２は、限位環溝３１１に嵌合し、該鎖合部３２は、鎖合環溝３２１を有し、且つ該鎖合部材４の鎖合端４２は、鎖合環溝３２１に嵌合する。そのうち、該シャックル３は、可撓性を有する鋼索であることができる。
【００２１】
上記構造の組み合わせにおいて、該ロック組２は、図１、図２に示すように、ナンバーロックであるが、これに限定するものではない。使用操作において、先ず該ロックシェル１の前ロックカバー１１に設けられるロック組２が第１工程のロック解除を行う必要があり、ロックブロック２２をロックアーム１２１から離脱させ、該前ロックカバー１１を該ロック蓋１２に対して回転させて開放した後に初めて更にシャックル３に対してロック解除の操作を行うことができる。
【００２２】
図４〜図６に示すのは、本発明のシャックルに対してロック解除を行う操作であり、図４において、バネ７は、鎖合部材４と限位部材５１の間に形成される両端のバネにより、常態は、鎖合部材４の鎖合端４２を後ロックカバー１２のロック孔１２４に押圧し、ロック孔１２４に進入する該鎖合部３２の鎖合環溝３２１に対して嵌合を形成してシャックル３をロックする。図５に示すように、該鎖合部材４は、該蓋板８の限位溝８１に嵌合し、且つそのダイヤル部４４を限位溝８１外側に吐出させ、図中の矢印方向に沿ってダイヤル部４４に対してダイヤルする時、図６に示すように、鎖合部材４の鎖合端４２をシャックル３の鎖合環溝３２１から退出させ、図中の矢印で示すように、シャックル３を引き出してロック解除を完成することができる。
【００２３】
図７は、本発明の限位シャックルの断面説明図であり、即ち、バネ７が鎖合部材４と限部材５１の間に形成される両端の弾性係合によって、常態が限位部材５１の嵌合端５１２を後ロックカバー１２の貫通孔１２３を押圧し、嵌合端５１２をシャックル３の枢着部３１を貫通孔１２３から引き出す時、限位環溝３１１に押し込み、これにより、シャックル３が後ロックカバー１２を引き離すことができない限位結合を構成する。
【００２４】
図８、図９に示すように、本発明のシャックルを開放し、交換を行う操作説明図であり、即ち、本発明は、該開放部材５２により貫通溝１２５に滑動設置されることよって、限位部材５１の欠き溝５１１に伸入し、且つ該開放部材５２の押圧斜面５２１は、限位部材５１の斜面５１３に相対する。図中の矢印の方向に沿って開放部材５２を押圧し、該押圧斜面５２１は、斜面５１３に貼付し、限位部材５１を推移させ、且つ該嵌合端５１２が限位環溝３１１から退出し、シャックル３の枢着部３１を開放し、図中の矢印で示すように、シャックル３を後ロックカバー１２から分離することができ、図９に示すように、異なる大きさ位のシャックル３０に交換し、後ロックカバー１２の貫通孔１２３とロック孔１２４に取り付けられる。
【００２５】
上記のように、本発明は、後ロックカバー１２に滑動設置される限位部材５１が一端に嵌合端５１２を設けることによって、シャックル３が後ロックカバー１２に貫通設置する枢着部３１に対して分離可能な限位結合を構成し、分解交換操作によって異なる大きさ、形状のシャックル３に交換し、異なる大きさのターゲットに広範に適用でき、且つ消費者が異なる大きさの使用ターゲットに対して異なる規格のシャックルのパッドロックを購入する必要がなく、浪費と回避して市場の使用受け入れ度を高めることができる。
【００２６】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００２７】
１  ロックシェル
１１  前ロックカバー
１２  後ロックカバー
１２１  ロックアーム
１２２  スライド溝
１２３  貫通孔
１２４  ロック孔
１２５  貫通溝
１３  収容室
２  ロック組
２２  ロックブロック
３  シャックル
３１  枢着部
３１１  限位環溝
３２  鎖合部
３２１  鎖合環溝
４  鎖合部材
４１  嵌合部
４２  鎖合端
４３  頸部
４４  ダイヤル部
５  限位組
５１  限位部材
５１１  欠き溝
５１２  嵌合端
５１３  斜面
５２  開放部材
５２１  押圧斜面
７  バネ
８  蓋板
８１  限位溝
【図１】
2017061789.tif 000003
【図２】
2017061789.tif 000004
【図３】
2017061789.tif 000005
【図４】
2017061789.tif 000006
【図５】
2017061789.tif 000007
【図６】
2017061789.tif 000008
【図７】
2017061789.tif 000009
【図８】
2017061789.tif 000010
【図９】
2017061789.tif 000011